(57)【要約】      （修正有）【課題】衛生的で耐久性が高い１つの器具で、かかと等の角質化した皮膚の除去と足指間の洗浄とを行うのに適した足洗浄具を提供する。【解決手段】本体２、角質を除去する角質除去部、及び足指を洗浄する足指洗浄部１４を備え、本体２は角質除去部を装着するための開口、足指洗浄部１４のための開口６、及び本体２を把持するための把持部３を有し、角質除去部は除去された角質を本体２内へ移動させるための開口及び側壁を有する平板、及び平板の面及び側壁を覆い角質を除去する網部１１を有し、足指洗浄部１４は足指を洗浄する複数の突起部を有する洗浄体１８、洗浄体１８を支持する支持部、及び支持部に接続されるネジ１５を有し、把持部３はネジ１５がスライド可能な溝１６を有し、ネジ１５を溝１６に沿ってスライドすることで、洗浄体１８は開口６を介して本体２内に収容、又は本体２内から押し出される。【選択図】図１
2019180695.tif 000002
【特許請求の範囲】
【請求項１】
本体と、
前記本体に装着可能な、足の角質を除去する角質除去部と、
前記本体に収容可能な、足指を洗浄する足指洗浄部と、
を備え、
前記本体は、前記角質除去部を嵌め込んで装着するための第１の開口と、前記足指洗浄部を出し入れするための第２の開口と、使用時に前記本体を把持するために前記本体より立設し、内部が中空状の把持部と、を有し、
前記角質除去部は、前記第１の開口の形状に応じた形状で、外周部に側壁を有する平板と、前記平板の前記第１の開口に対向する面とは反対側の面及び前記側壁を覆う、角質を除去するための網部と、を有し、
前記平板は、除去された角質が前記網部から前記本体内へと移動するための第３の開口を有し、
前記足指洗浄部は、足指を洗浄するための複数の突起部を有する洗浄体と、接続される前記洗浄体を支持するためのＬ字形状の支持部と、前記支持部の前記洗浄体が接続される端部とは異なる端部と接続するためのネジと、を有し、
前記把持部には、前記本体に収容された前記支持部と接続された前記ネジがスライド可能な溝が設けられ、
前記洗浄体は、前記ネジを前記溝に沿ってスライドさせることにより、前記第２の開口を介して、前記本体内に収容される、又は前記本体内から押し出される、足洗浄具。
【請求項２】
前記網部は、ニッケル製である、請求項１に記載の足洗浄具。
【請求項３】
前記洗浄体は、前記洗浄体の表面に複数の前記突起部を有し、足指の間に挿入して前記突起部により足指の汚れを落とす、請求項１又は請求項２の足洗浄具。
【請求項４】
前記洗浄体は、内部に足指が挿入可能な空洞を有し、前記空洞の内壁には複数の前記突起部が設けられ、足指を前記空洞に挿入することにより、内部に設けられた前記突起部により足指の汚れを落とす、請求項１又は請求項２の足洗浄具。
【請求項５】
前記本体の前記第２の開口と反対側に、前記本体をフックに引っ掛けて、前記本体内に残留した水を前記第２の開口を介して外部に出すための引っ掛け部を備える、請求項１から請求項４のいずれか１項の足洗浄具。
【発明の詳細な説明】
【技術分野】
【０００１】
本発明は、足の角質除去や足指を洗浄する足洗浄具に関する。
【背景技術】
【０００２】
一般に、足裏の皮膚は角質化しやすいものであり、そのままにしておくと、水虫の原因となる白癬菌が付着する場合がある。白癬菌が付着すると、水虫になることがあるため、角質化を放置せず、足裏をこまめに手入れすることが必要である。そのため、入浴時に足裏の皮膚を柔らかくした上で、角質をこすり取ることが行われるが、角質部分をこすり取るために、以前から軽石が使用されている。また、足指を含む身体の洗浄には、タオルやタオル生地の手袋を用いたりして、身体各部を洗浄することが知られている（例えば、特許文献１参照）。
【先行技術文献】
【特許文献】
【０００３】
【特許文献１】特開２００１−２４５８１７号公報
【発明の概要】
【発明が解決しようとする課題】
【０００４】
しかしながら、軽石は、使用による摩耗が早く、耐久性が低いという課題がある。更に、軽石には開口した気泡が多いため、開口した気泡内に水が入り込みやすく、また、入り込んだ水が出にくく、水切れが悪い。そのため、軽石にはカビ等が発生しやすく、不衛生になりやすいという課題もある。また、タオル生地の手袋では、足指の洗浄は行えるが、軽石のように角質部分の除去には向いていない。一方、軽石は、その大きさが足指の間に挿入できるほど小さくはならないし、更に表面がざらついている軽石で足指を擦ることで皮膚を傷つけたりすることもあるため、足指の洗浄には向いていない。そのため、角質を除去する場合と足指を洗浄する場合とで、用いる器具を取り換える必要があった。
【０００５】
本発明は、上記の事情に鑑みてなされたもので、衛生的で耐久性が高い１つの器具で、かかと等の角質化した皮膚の除去と足指間の洗浄とを行うのに適した足洗浄具を提供することを例示的課題とする。
【課題を解決するための手段】
【０００６】
上記の課題を解決するために、本発明は以下の趣旨を有する。
【０００７】
［趣旨１］
本体と、
前記本体に装着可能な、足の角質を除去する角質除去部と、
前記本体に収容可能な、足指を洗浄する足指洗浄部と、
を備え、
前記本体は、前記角質除去部を嵌め込んで装着するための第１の開口と、前記足指洗浄部を出し入れするための第２の開口と、使用時に前記本体を把持するために前記本体より立設し、内部が中空状の把持部と、を有し、
前記角質除去部は、前記第１の開口の形状に応じた形状で、外周部に側壁を有する平板と、前記平板の前記第１の開口に対向する面とは反対側の面及び前記側壁を覆う、角質を除去するための網部と、を有し、
前記平板は、除去された角質が前記網部から前記本体内へと移動するための第３の開口を有し、
前記足指洗浄部は、足指を洗浄するための複数の突起部を有する洗浄体と、接続される前記洗浄体を支持するためのＬ字形状の支持部と、前記支持部の前記洗浄体が接続される端部とは異なる端部と接続するためのネジと、を有し、
前記把持部には、前記本体に収容された前記支持部と接続された前記ネジがスライド可能な溝が設けられ、
前記洗浄体は、前記ネジを前記溝に沿ってスライドさせることにより、前記第２の開口を介して、前記本体内に収容される、又は前記本体内から押し出される、足洗浄具である。
【０００８】
［趣旨２］
前記網部は、ニッケル製であってもよい。
【０００９】
［趣旨３］
前記洗浄体は、前記洗浄体の表面に複数の前記突起部を有し、足指の間に挿入して前記突起部により足指の汚れを落とすものでもよい。
【００１０】
［趣旨４］
前記洗浄体は、内部に足指が挿入可能な空洞を有し、前記空洞の内壁には複数の前記突起部が設けられ、足指を前記空洞に挿入することにより、内部に設けられた前記突起部により足指の汚れを落とすものでもよい。
【００１１】
［趣旨５］
前記本体の前記第２の開口と反対側に、前記本体をフックに引っ掛けて、前記本体内に残留した水を前記第２の開口を介して外部に出すための引っ掛け部を備えてもよい。
【００１２】
本発明の更なる目的又はその他の特徴は、以下添付図面を参照して説明される好ましい実施の形態によって明らかにされるであろう。
【発明の効果】
【００１３】
本発明によれば、衛生的で耐久性が高い１つの器具で、かかと等の角質化した皮膚の除去と足指間の洗浄とを行うのに適した足洗浄具を提供することができる。
【図面の簡単な説明】
【００１４】
【図１】実施形態の足洗浄具の全体構成を示す斜視図
【図２】実施形態の足洗浄具の角質除去部の分解斜視図
【図３】実施形態の（ａ）足洗浄具の足指洗浄部を引き出した状態の斜視図、（ｂ）足洗浄具の断面を示す模式図
【発明を実施するための形態】
【００１５】
［実施形態］
（足洗浄具の全体構成）
図１は、本発明の実施形態に係る足洗浄具１の全体構成を示す斜視図である。本発明の足洗浄具１は、２つの機能、すなわち、足の角質を除去する機能と、足指の汚れを落とす足指洗浄機能とが一体となった構成の洗浄具である。足洗浄具１は、足洗浄具１の本体部分であって内部が中空状の本体２、使用時に足洗浄具１を把持するための把持部３、足の角質除去を行うための網部１１を有して構成されている。また、本体２には、後述する足指洗浄部１４（図３参照）を出し入れするための開口６（第２の開口）や、足洗浄具１を使用しない場合に、例えば浴室の壁に設けられたフックに引っかけるための引っ掛け部８が設けられている。足洗浄具１をフックに掛けることにより、開口６は下方向に向けられる。これにより、本体２内部に残留した水が外部に流れ出して水切りが行われ、本体２内部を清潔な状態に保つことができる。更に、本体２内部には、ネジ１９で接続された洗浄体１８を含む支持部１７（図３参照）が収容されている。
【００１６】
把持部３は、本体２から立設し、本体２から上方向に伸びる側壁である挟み部５と、挟み部５と接続された頭頂部である係止部４から構成されている。例えば足の角質を除去する際には、足洗浄具１は、挟み部５を人差し指と中指との間で挟み、本体２を手のひら部分で覆うように掴んで使用される。また、係止部４は、使用時に挟み部５を挟んだ指が把持部３から抜けないように係止するように、挟み部５の側壁よりも水平方向に広い形状を有している。挟み部５の内部は中空構造となっており、後述する足指洗浄部１４の支持部１７を挟み部５内部に収容可能な構造となっている。係止部４は、中央に溝部１６（スリットともいう）が設けられており、溝部１６は、足指洗浄部１４の支持部１７と螺合しているネジ１５が移動するためのスリットである。ネジ１５を、スライドさせる際には緩め、支持部１７を係止部４に固定させる際には締めることにより、足指洗浄部の支持部１７を任意の位置に移動させたり、固定させたりすることができる。
【００１７】
（角質除去部）
図２は、足洗浄具１の角質除去を行う角質除去部９を説明する分解斜視図である。角質除去部９は、角質を除去する刃の機能を有する網部１１と、網部１１を支える平板部１０とを有して構成されている。そして、平板部１０と網部１１とが一体になった状態の角質除去部９は、本体２の開口７に嵌め込むことで、本体２に装着される構成となっている。
【００１８】
（平板部）
角質除去部９の基台である平板部１０は、本体２の開口７（第１の開口）の楕円形状に合わせた楕円形状を有し、本体２への脱着が容易に行える構造となっている。ここでは、開口７の形状は楕円形状であるが、楕円形状に限定されるものではなく、例えば円形状であってもよい。また、平板部１０の形状は、開口７の形状に合わせた形状となる。そのため、開口７が円形状であれば、平板部１０も円形状となる。平板部１０の、本体２に対向する側の外周部側面には、本体２に装着した場合に角質除去部９が安定するように、側壁部１２が設けられている。平板部１０の本体２と対向する面とは反対側の面２１は平面とされ、角質除去を行う網部１１により覆われている。また、平板部１０は、複数の開口１３（第３の開口）を有している。網部１１により除去され、網部１１と平板部１０との隙間に滞留した角質を、角質除去部９を水洗いした際に、平板部１０を抜けて本体２内部へと移動させるために開口１３が設けられている。
【００１９】
（網部）
網部１１は、目が詰まった（隙間の狭い）金属製のメッシュ部材であり、平板部１０の形状に合わせて、平板部１０の面２１及び側壁部１２を覆うように装着されている。なお、ここでは、網部１１は、ニッケル製のメッシュ部材を使用している。また、網部１１の目（網の隙間）の大きさは、除去された角質が通過可能な程度の大きさであればよい。網部１１は、メッシュ部材であるため、除去された角質が付着しても、水で洗い流すことができ、網部１１を清潔な状態に保つことができる。なお、角質除去時に肌を傷つけることがないように、網部１１の表面は、滑らかになっている。また、網部１１はニッケル製であるため、使用時に水に濡らすことにより、角質除去時に角質に当たる金属部分が柔らかくなる。
【００２０】
（使用方法）
角質除去を行う場合には、挟み部５を２本の指で挟み、本体２を手のひら全体で覆うようにして、足洗浄具１を掴む。そして、網部１１の表面を水に濡らし、又は網部１１に水をかけながら、濡れた網部１１を角質を除去したい足の角質部分に当てて擦ることにより、角質除去を行うことができる。除去された角質は、網部１１の表面に付着したり、網部１１の隙間から平板部１０内部に侵入したりする。また、網部１１に水を掛けながら足洗浄具１を使用する場合には、除去された角質は、網部１１に付着することなく、そのまま流されたり、網部１１の隙間から平板部１０内部に侵入し、水の勢いで平板部１０の開口１３を抜けて、本体２内部に移動したりする。
【００２１】
足洗浄具１を使用した後は、角質除去部９を本体２に装着した状態で、網部１１を水洗いすることで、網部１１の表面に付着した角質を洗い流すことができる。また、平板部１０側に侵入した角質は、網部１１を介して浸入した水により、開口１３から本体２の内部へと流され、本体２に設けられた開口６から外部へ流される。なお、角質除去部９と本体２とは簡単に脱着可能であるため、角質除去部９を本体２から取り外し、角質除去部９及び本体２内部をそれぞれ個別に水洗いしてもよい。角質除去部９及び本体２内部を簡単に水洗いすることができるので、本体２内部を清潔な状態に保つことができる。足洗浄具１を水洗いした後は、角質除去部９を本体２に装着した状態で、足洗浄具１の引っ掛け部８をフックに掛けておくことにより、角質除去部９や本体２内部に残る水分を切って、内部を乾燥させることができるので、より一層、足洗浄具１を清潔な状態に保つことができる。
【００２２】
（足指洗浄部）
図３は、足洗浄具１の足指の垢落とし等の洗浄を行う足指洗浄部１４を説明する図である。図３（ａ）は、足指洗浄部１４の足指洗浄を行う先端部分を本体２の開口６から引き出した状態を示す斜視図である。図３（ｂ）は、足指洗浄部１４の構成を説明するための本体２の断面を示す模式図である。
【００２３】
後述するように、ネジ１５は、ネジ１５と対向する支持部１７の端部と螺合することにより、支持部１７と接続される。そして、ネジ１５を締めることにより、ネジ１５とネジ１５に対向する支持部１７の端部とにより、溝部１６を介して係止部４が挟み込まれ、支持部１７は、係止部４に固定される。図３（ａ）に示すように、足指洗浄部１４を使用する場合には、本体２内部に収容された支持部１７を係止部４に固定しているネジ１５を緩め、係止部４に設けられた溝部１６に沿って開口６の方向に向けてネジ１５をスライドさせる。これにより、支持部１７は、ネジ１５の動きに合わせて本体２内部を開口６の方向に移動し、支持部１７の開口６側の先端に装着された洗浄体１８が開口６から外部に押し出される。そして、足指洗浄を行う際には、洗浄体１８が本体２内部方向に移動しないように、緩めていたネジ１５を締めることにより、支持部１７は係止部４に固定される。使用後は、再度、ネジ１５を緩め、溝部１６内を開口６から離れる方向にネジ１５をスライドさせ、洗浄体１８を本体２内部に収容した後、ネジ１５を締めることで、支持部１７は、本体２内部に固定された状態となる。これにより、例えば、足洗浄具１の引っ掛け部８をフックに掛けておいても、洗浄体１８が開口６から外部に飛び出すことを防止することができる。
【００２４】
図３（ｂ）は、足指洗浄部１４が本体２に収容された状態の断面を示す模式図である。足指洗浄部１４は、ネジ１５、本体部分であるＬ字形状を有する支持部１７、足指を洗浄する洗浄体１８から構成されている。上述したように、ネジ１５は、溝部１６に沿って支持部１７を移動させるためのレバーとして使用したり、支持部１７が移動しないように支持部１７を係止部４に固定するためにも使用される。なお、ここでは、ネジ１５は、内部が雌ネジ構造となっており、支持部１７のネジ１５側端部の雄ネジに螺合する構成となっているが、ネジ１５が雄ネジで、支持部１７側が雌ネジ構造で、螺合する構成でもよい。図３（ａ）では、ネジ１５の形状が円柱形状としているが、この形状に限定されるものではない。ネジ１５の形状は、例えば、ネジ１５を回しやすくするため、ネジの頭頂部が六角形の角柱形状でもよい。また、ネジ１５の代わりに、例えば、レバー形状で、レバーと係止部４との間にバネ機構を設け、上方向から指で押圧することにより、バネが圧縮されてレバーが移動可能となり、離すとバネが元に戻り、レバーが固定されるような構成でもよい。
【００２５】
また、洗浄体１８は、プラスチック製であり、内部が中空となっており、支持部１７に挿入して、開口６側の端部をネジ１９により支持部１７に固定する構成となっている。洗浄体１８の表面には、足指の汚れを取るための突起部２０（図１、図２、図３（ａ）では表示を省略）が形成されている。図３（ｂ）に示す構成の洗浄体１８は、洗浄体１８を２本の足指の間に挿入して動かすことにより、洗浄体１８の表面に設けられた突起部２０が足指の表面を擦って汚れを落とすことにより、足指を洗浄することができる。足指の表面を擦って足指の洗浄を行うため、突起部２０の表面は、柔らかく、突起部２０と突起部２０との間は適切な隙間が設けられていることが好ましい。ここでは、洗浄体１８の材質は、プラスチックとしているが、例えば発泡樹脂を用いてもよい。また、突起部２０については、図３（ｂ）では角柱形状を有しているが、例えばドーム型のような半球形状でもよい。突起部２０は、足指の皮膚を傷つけないように、低摩擦の形状であることが好ましい。なお、ここでは、洗浄体１８は、支持部１７に挿入され、ネジ１９により支持部１７に固定する構成であるが、例えば、洗浄体１８が円筒形状を有し、支持部１７側の端部に雄ネジを有し、支持部１７に螺合することにより、支持部１７に接続する構成でもよい。
【００２６】
図３（ｂ）に示す洗浄体１８は、足指の間に挿入するタイプのものであるが、例えば、内部に足指を挿入して洗浄するタイプの洗浄体１８であってもよい。足指を挿入するタイプの洗浄体１８の場合には、内部に空洞を有し、空洞の内壁の表面に突起部２０が設けられることにより、洗浄体１８は図３（ｂ）に示すタイプの洗浄体１８よりも大型となる。洗浄体１８を装着した状態で、支持部１７を本体２内部に収容することは難しいため、支持部１７を開口６から突出させた状態で、洗浄体１８を装着し、使用する形態となる。この場合、洗浄体１８の支持部１７に対向する面には、洗浄体１８を支持部１７に固定するためのネジが設けられ、洗浄体１８を回して支持部１７に螺合させて、洗浄体１８を支持部１７に固定する。そして、足指洗浄を行う際には、足指を洗浄体１８の内部に挿入し、洗浄体１８を左右にひねるように動かすことにより、内部に設けられた突起部２０が足指の表面に接触し、洗浄が行われる。
【００２７】
以上説明したように、本実施形態の足洗浄具１は、足の角質除去機能と足指の洗浄機能とを一体化させた器具である。角質除去部９は、角質を除去する網部１１が金属製であるため、軽石と比べて耐久性に優れ、更に網部１１の表面は滑らかに加工されているため、角質がよく取れ、メッシュ構造であるため、通気性にも優れている。また、足指洗浄部１４についても、足指と足指の間に挿入可能な大きさであるため、足指の汚れをよく落とすことができ、足指間を清潔にすることができる。使用後の足洗浄具１は、引っ掛け部８をフックにかけておくことで、足洗浄具１の水切りが行われ、足洗浄具１の内部を清潔に衛生的に保つことができる。
【００２８】
以上、本実施形態によれば、衛生的で耐久性が高い１つの器具で、かかと等の角質化した皮膚の除去と足指間の洗浄とを行うのに適した足洗浄具を提供することができる。
【符号の説明】
【００２９】
１：足洗浄具
２：本体
３：把持部
４：係止部
５：挟み部
６：開口
７：開口
８：引っ掛け部
９：角質除去部
１０：平板部
１１：網部
１２：側壁部
１３：開口
１４：足指洗浄部
１５：ネジ
１６：溝部
１７：支持部
１８：洗浄体
１９：ネジ
２０：突起部
２１：面
【図１】
2019180695.tif 000003
【図２】
2019180695.tif 000004
【図３】
2019180695.tif 000005